(57)【要約】【課題】シンクチップクランプ回路を用いることなく回路規模を小さくして、映像信号を検出する映像信号入力検出回路を提供すること。【解決手段】選択信号Ｓ１がネゲートの場合、スイッチＳＷ６がＯＦＦとなってペデスタルクランプ回路をＯＦＦにし、スイッチＳＷ５がＯＮとなってペデスタルクランプ回路１１内のボルテージフォロア１４をバッファとして基準電圧ＶＲＥＦ２を抵抗Ｒ１に接続して、入力カップリング容量を有するコンデンサＣ１と抵抗Ｒ１とによって平均値クランプ回路を構成し、コンパレータ１５がＳ映像信号ＳＩＧ１を基準電圧ＶＲＥＦ２によって平均値クランプされた映像信号の電圧と閾値電圧ＶＲＥＦ４とを比較してＳ映像信号ＳＩＧ１が入力されたか否かを検出する。【選択図】        図２
2006005638.tif 000002
【特許請求の範囲】
【請求項１】
映像信号の有無を検出する映像信号入力検出回路において、
外部から入力される選択信号がアサートであって、かつ外部から入力される前記映像信号の同期信号を用いて生成されるクランプパルスがアサートの場合、前記映像信号の黒レベルを一定の電圧にクランプするペデスタルクランプ回路と、
前記選択信号がネゲートの場合、前記映像信号の平均値を一定の電圧にクランプする平均値クランプ回路と、
前記ペデスタルクランプ回路または前記平均値クランプ回路によってクランプされた映像信号を用いて映像信号が入力されたか否かを判定して、映像信号が入力されている場合には検出信号を出力するコンパレータと、
を備えることを特徴とする映像信号入力検出回路。
【請求項２】
前記ペデスタルクランプ回路は、
前記選択信号がアサートの場合には第１の基準電圧を出力し、前記選択信号がネゲートの場合には第２の基準電圧を出力するボルテージフォロアと、
前記選択信号がアサートであって、かつ前記クランプパルスがアサートの場合、前記ボルテージフォロアが出力する第１の基準電圧によって前記映像信号をクランプするスイッチと、
を備え、
前記平均値クランプ回路は、
前記選択信号がネゲートの場合、前記ボルテージフォロアが出力する前記第２の基準電圧によって前記映像信号をクランプすること、
を特徴とする請求項１に記載の映像信号入力検出回路。
【請求項３】
前記コンパレータは、
前記選択信号がアサートの場合、第１の閾値電圧と前記ペデスタルクランプ回路によってクランプされた映像信号の電圧とを比較し、前記選択信号がネゲートの場合、第２の閾値電圧と前記平均値クランプ回路によってクランプされた映像信号の電圧とを比較して、前記映像信号の有無を検出すること、
を特徴とする請求項１または２に記載の映像信号入力検出回路。
【請求項４】
複数の映像信号を切り替える映像信号切替装置であって、
前記複数の映像信号に対応する請求項１〜３の何れか１つに記載の映像信号入力検出回路と、
これら映像信号入力検出回路から入力される検出信号に基づいて、前記複数の映像信号から再生すべき映像信号を選択して選択信号を出力する制御回路と、
前記選択信号が示す映像信号に対応する映像信号入力検出回路によってクランプされた映像信号を出力するセレクタと、
を備えることを特徴とする映像信号切替装置。
【請求項５】
前記制御回路は、
複数の映像信号入力検出回路から検出信号が入力された場合には、予め定められた優先順位に基づいて映像信号を選択すること、
を特徴とする映像信号切替装置。
【請求項６】
請求項４または５に記載の映像信号切替装置を備えることを特徴とする映像信号再生装置。
【発明の詳細な説明】
【技術分野】
【０００１】
本発明は、映像信号が入力されたか否かを検出する映像信号入力検出回路に関するものである。
【背景技術】
【０００２】
テレビジョン受信機やビデオテープレコーダなどでは、リモコンなどを用いて視聴者が選択した映像信号ソースを選択して再生する。映像信号ソースには、コンポジット映像信号とＳ映像信号（Separate video signal）とがある。コンポジット映像信号は、輝度信号と色信号とを混合させた信号であるのに対して、Ｓ映像信号は輝度信号と色信号とが分離されているのでコンポジット映像信号と比較した場合ドット障害やクロスカラー障害などが発生しにくい。そのため、テレビジョン受信機やビデオテープレコーダなどでは、Ｓ映像信号が選択されていない時（コンポジット映像信号が選択されている時）でも、Ｓ映像信号の有無を検出し、Ｓ映像信号を検出した場合には自動的にＳ映像信号に切り替える機能を備えることが多い。
【０００３】
Ｓ映像信号を検出する従来技術として、たとえば、特許文献１がある。特許文献１には、ＥＩＡＪ（Electronic Industries Association of Japan）によるＳ２規格のＳ映像信号を検出する映像信号識別回路に関する記述が開示されている。具体的には、Ｓ２規格のクロマ信号に０Ｖ，１．４〜２．４Ｖ，３．５〜５Ｖの３つの電圧範囲をとる識別信号を重畳させた重畳映像信号から、成分のみを除去して識別信号を抽出する。抽出した識別信号と予め設定された２つの基準電圧とをそれぞれ比較し、これらの比較結果に基づいて画像形態を識別し、かつＳ映像端子の基準端子が設置ラインに接続されているか否かを判定して、Ｓ映像信号が入力されたか否かを検出するようにしている。
【０００４】
【特許文献１】特開平１０−１３６３８７号公報
【発明の開示】
【発明が解決しようとする課題】
【０００５】
しかしながら、上記特許文献１に記載の従来技術は、Ｓ映像端子の接続状態を検出してＳ映像信号の３つの規格を識別するものであり、コンポジット映像信号を検出するためには、コンポジット映像信号専用の回路を別に設けなければならない。
【０００６】
コンポジット映像信号とＳ映像信号とを同一構成の回路で検出する従来の映像信号入力検出回路は、選択時（映像信号が再生されている時）の映像信号をクランプするペデスタルクランプ回路と、非選択時（映像信号が入力されていない無信号、または映像信号が入力されていても再生しない場合）の映像信号をクランプするシンクチップクランプ回路と、映像信号の有無を検出するコンパレータとを備えている。
【０００７】
映像信号を入力する場合、黒レベルを一定のＤＣ電圧に保持するためのクランプ回路が必要であり、映像信号の有無を検出する場合にもＤＣ電圧変動が少ないクランプされた映像信号の電圧と所定の閾値電圧をとコンパレータによって比較する。
【０００８】
ペデスタルクランプ回路は、映像信号の同期信号（クランプパルス）によって制御されるため、クランプパルスが非同期となる非選択時には映像信号をクランプすることができない。そのため、選択時にはペデスタルクランプ回路を動作させて映像信号をクランプし、非選択時にはシンクチップクランプ回路を動作させて映像信号をクランプして映像信号を検出する。
【０００９】
このようにコンポジット映像信号とＳ映像信号とを同一構成の回路で検出する従来の映像信号入力検出回路は、選択時に動作するペデスタルクランプ回路と、非選択時に動作するシンクチップクランプ回路とを備える必要があり、回路規模が大きくなるという問題があった。
【００１０】
この発明は上記に鑑みてなされたもので、シンクチップクランプ回路を用いることなく回路規模を小さくして、映像信号を検出する映像信号入力検出回路を得ることを目的としている。
【課題を解決するための手段】
【００１１】
上述した課題を解決し、目的を達成するために、本発明にかかる映像信号入力検出回路は、映像信号の有無を検出する映像信号入力検出回路において、外部から入力される選択信号がアサートであって、かつ外部から入力される前記映像信号の同期信号を用いて生成されるクランプパルスがアサートの場合、前記映像信号の黒レベルを一定の電圧にクランプするペデスタルクランプ回路と、前記選択信号がネゲートの場合、前記映像信号の平均値を一定の電圧にクランプする平均値クランプ回路と、前記ペデスタルクランプ回路または前記平均値クランプ回路によってクランプされた映像信号を用いて映像信号が入力されたか否かを判定して、映像信号が入力されている場合には検出信号を出力するコンパレータと、を備えることを特徴とする。
【発明の効果】
【００１２】
この発明にかかる映像信号入力検出回路によれば、外部から入力される選択信号がアサートの場合にはペデスタルクランプ回路によって映像信号の黒レベルを一定の電圧にクランプした映像信号を用いて映像信号の有無を検出し、選択信号がネゲートの場合には平均値クランプ回路によって映像信号の平均値を一定の電圧にクランプした映像信号を用いて映像信号の有無を検出するようにしているので、シンクチップクランプ回路を用いる場合と比較して、回路規模を小さくすることができる。
【発明を実施するための最良の形態】
【００１３】
以下に、この発明にかかる映像信号入力検出回路および映像信号切替装置の実施の形態を図面に基づいて詳細に説明する。なお、この実施の形態によりこの発明が限定されるものではない。
【００１４】
図１〜図５を参照して、この発明の実施の形態を説明する。図１は、この発明にかかる実施の形態の映像信号入力検出回路が適用される映像信号切替装置の一例を示すブロック図である。この発明にかかる映像信号入力検出回路および映像信号切替装置は、テレビ受信機やビデオテープレコーダなどの映像信号を再生する映像信号再生装置に用いられる。図１に示した映像信号切替装置は、複数（この場合は３つ）の映像信号入力検出回路１０ａ〜１０ｃと、制御回路３０と、セレクタ５０とを備えている。
【００１５】
映像信号入力検出回路１０ａ〜１０ｃは、制御回路３０から入力される選択信号Ｓ１〜Ｓ３およびクランプパルスＳＹＮＣ１１〜ＳＹＮＣ１３に基づいて、ペデスタルクランプ回路または平均値クランプ回路として動作して映像信号ＳＩＧ１〜ＳＩＧ３が入力されているか否かを検出する機能を備えている。
【００１６】
映像信号入力検出回路１０ａは、制御回路３０から入力される選択信号Ｓ１およびクランプパルスＳＹＮＣ１１に基づいてＳ映像信号ＳＩＧ１が入力されたか否かを検出して検出信号ＳＹＮＣ１を制御回路３０に出力するとともに、Ｓ映像信号ＳＩＧ１をクランプした映像信号ＳＩＧ１１をセレクタ５０に出力する。なお、ここではＳ映像信号ＳＩＧ１は、Ｓ映像信号の輝度信号とする。
【００１７】
映像信号入力検出回路１０ｂは、制御回路３０から入力される選択信号Ｓ２およびクランプパルスＳＹＮＣ１２に基づいてコンポジット映像信号ＳＩＧ２が入力されたか否かを検出して検出信号ＳＹＮＣ２を制御回路３０に出力するとともに、コンポジット映像信号ＳＩＧ２をクランプした映像信号ＳＩＧ１２をセレクタ５０に出力する。
【００１８】
映像信号入力検出回路１０ｃは、制御回路３０から入力される選択信号Ｓ３およびクランプパルスＳＹＮＣ１３に基づいてコンポジット映像信号ＳＩＧ３が入力されたか否かを検出して検出信号ＳＹＮＣ３を制御回路３０に出力するとともに、コンポジット映像信号ＳＩＧ３をクランプした映像信号ＳＩＧ１３をセレクタ５０に出力する。
【００１９】
映像信号入力検出回路１０ａ〜１０ｃは、同一回路で構成される。図２に示した映像信号入力検出回路１０ａの構成を示す回路図を参照して、映像信号入力検出回路の回路構成を詳細に説明する。
【００２０】
映像信号入力検出回路１０ａは、入力カップリング容量を有するコンデンサＣ１、抵抗Ｒ１、５つのスイッチＳＷ１〜ＳＷ５、インバータ１２、アンドゲート１３とスイッチＳＷ６とボルテージフォロア１４とを有するペデスタルクランプ回路１１、およびコンパレータ１５を備えている。
【００２１】
スイッチＳＷ１，ＳＷ２は選択信号Ｓ１によって制御されてペデスタルクランプ回路１１内のボルテージフォロア１４に基準電圧ＶＲＥＦ１（特許請求の範囲でいうところの第１の基準電圧）または基準電圧ＶＲＥＦ２（特許請求の範囲でいうところの第２の基準電圧）を出力する。具体的には、スイッチＳＷ１は選択信号Ｓ１がアサート（この場合は“Ｈ”）のときにＯＮとなり、選択信号Ｓ１がネゲート（この場合は“Ｌ”）のときにＯＦＦとなる。スイッチＳＷ２はインバータ１２を介して選択信号Ｓ１によって制御され、選択信号Ｓ１が“Ｈ”のときにＯＦＦとなり、選択信号Ｓ１が“Ｌ”のときにＯＮとなる。したがって、ボルテージフォロア１４には、選択信号Ｓ１が“Ｈ”のときに基準電圧ＶＲＥＦ１が入力され、選択信号Ｓ１が“Ｌ”のときに基準電圧ＶＲＥＦ２が入力される。
【００２２】
スイッチＳＷ３，ＳＷ４は選択信号Ｓ１によって制御されて、クランプされた映像信号ＳＩＧ１１の同期を検出するコンパレータ１５に同期検出の閾値となる閾値電圧ＶＲＥＦ３（特許請求の範囲でいうところの第１の閾値電圧）または閾値電圧ＶＲＥＦ４（特許請求の範囲でいうところの第２の閾値電圧）を出力する。具体的には、スイッチＳＷ３は選択信号Ｓ１が“Ｈ”のときにＯＮとなり、選択信号Ｓ１が“Ｌ”のときにＯＦＦとなる。スイッチＳＷ４はインバータ１２を介して選択信号Ｓ１によって制御され、選択信号Ｓ１が“Ｈ”のときにＯＦＦとなり、選択信号Ｓ１が“Ｌ”のときにＯＮとなる。したがって、コンパレータ１５には、選択信号Ｓ１が“Ｈ”のときに閾値電圧ＶＲＥＦ３が入力され、選択信号Ｓ１が“Ｌ”のときに閾値電圧ＶＲＥＦ４が入力される。
【００２３】
ペデスタルクランプ回路１１は、選択信号Ｓ１およびクランプパルスＳＹＮＣ１１によって制御されて、制御回路３０によってＳ映像信号ＳＩＧ１が選択された場合には、Ｓ映像信号ＳＩＧ１を基準電圧ＶＲＥＦ１によってクランプ（ペデスタルクランプ）する。具体的には、アンドゲート１３によって選択信号Ｓ１が“Ｈ”であって、かつクランプパルスＳＹＮＣ１１がアサート（この場合は“Ｈ”）の時にスイッチＳＷ６がＯＮとなって、基準電圧ＶＲＥＦ１によってＳ映像信号ＳＩＧ１をクランプする。選択信号Ｓ１またはクランプパルスＳＹＮＣ１１がネゲート（この場合は“Ｌ”）の時にスイッチＳＷ６はＯＦＦとなり、Ｓ映像信号ＳＩＧ１のペデスタルクランプは行わない。後述するがクランプパルスＳＹＮＣ１１は、Ｓ映像信号ＳＩＧ１の水平同期信号によって生成される信号であり、ペデスタルクランプ回路１１は、Ｓ映像信号ＳＩＧ１が選択されている場合に、黒レベルを基準電圧ＶＲＥＦ１によってクランプしている。
【００２４】
スイッチＳＷ５は、インバータ１２を介した選択信号Ｓ１によって制御されて、選択信号Ｓ１が“Ｈ”のときにＯＦＦとなり、選択信号Ｓ１が“Ｌ”のときにＯＮとなってボルテージフォロア１４の出力を抵抗Ｒ１に接続する。すなわち、スイッチＳＷ５は、選択信号Ｓ１が“Ｌ”のときにボルテージフォロア１４から出力される基準電圧ＶＲＥＦ２によってＳ映像信号ＳＩＧ１をクランプ（平均値クランプ）する。すなわち、スイッチＳＷ５がオンになると、ボルテージフォロア１４がバッファした基準電圧ＶＲＥＦ２によってコンデンサＣ１と抵抗Ｒ１とが平均値クランプ回路を構成する。
【００２５】
コンパレータ１５は、クランプされた映像信号ＳＩＧ１１と、閾値電圧ＶＲＥＦ３または閾値電圧ＶＲＥＦ４とを比較して、Ｓ映像信号を検出する。
【００２６】
図１に戻って、制御回路３０は、たとえば、ロジックおよびマイクロプロセッサで構成され、映像信号入力検出回路１０ａ〜１０ｃから入力される検出信号ＳＹＮＣ１〜ＳＹＮＣ３および予め定められた優先順位に基づいてＳ映像信号ＳＩＧ１、コンポジット信号ＳＩＧ１，ＳＩＧ２の１つを選択して、選択信号Ｓ１〜Ｓ３を映像信号入力検出回路１０ａ〜１０ｃとセレクタ５０とに出力する。
【００２７】
また、制御回路３０は、図示しないＳ映像信号ＳＩＧ１およびコンポジット映像信号ＳＩＧ２，ＳＩＧ３の水平同期信号を検出する同期検出回路から入力される水平同期信号に基づいて、各水平同期信号を反転させたクランプパルスＳＹＮＣ１１〜ＳＹＮＣ１３を生成する。制御回路３０は、生成したクランプパルスＳＹＮＣ１１〜ＳＹＮＣ１３を映像信号入力検出回路１０ａ〜１０ｃに出力する。
【００２８】
セレクタ５０は、制御回路３０から入力される選択信号Ｓ１〜Ｓ３に基づいて、映像信号入力検出回路１０ａ〜１０ｃから入力される映像信号ＳＩＧ１１〜ＳＩＧ１３の何れか１つを選択し、選択した映像信号ＳＩＧ１１〜ＳＩＧ１３を再生すべき映像信号として出力する。
【００２９】
つぎに、図３〜図５を参照して、この発明にかかる本実施の形態の映像信号入力検出回路の動作を図１に示したＳ映像信号ＳＩＧ１に対応する映像信号入力検出回路１０ａを例に挙げて説明する。
【００３０】
視聴者がリモコンによってコンポジット映像信号ＳＩＧ３を選択しているとする。制御回路３０は、コンポジット映像信号ＳＩＧ３に対応する映像信号入力検出回路１０ｃを選択して、選択信号Ｓ１，Ｓ２を“Ｌ”に、選択信号Ｓ３を“Ｈ”にする。これにより、セレクタ５０は、映像信号入力検出回路１０ｃから入力された映像信号ＳＩＧ１３を選択して、映像信号ＳＩＧ１３を再生すべき映像信号として出力する。
【００３１】
映像信号入力検出回路１０ａのスイッチＳＷ１〜ＳＷ６は、選択信号Ｓ１が“Ｌ”であるので、スイッチＳＷ１，ＳＷ３，ＳＷ６がＯＦＦになり、スイッチＳＷ２，ＳＷ４，ＳＷ５がＯＮになる。スイッチＳＷ１がＯＦＦであって、かつスイッチＳＷ２がＯＮであるので、ボルテージフォロア１４には基準電圧ＶＲＥＦ２が入力される。また、スイッチＳＷ５がＯＮであって、かつスイッチＳＷ６がＯＦＦであるので、映像信号入力検出回路１０ａは、ペデスタルクランプ回路１１はＯＦＦとなって、ペデスタルクランプ回路１１内のボルテージフォロア１４がバッファした基準電圧ＶＲＥＦ２によって抵抗Ｒ１とコンデンサＣ１とでＳ映像信号ＳＩＧ１を平均的な電圧にクランプする平均値クランプ回路として動作する。
【００３２】
一方、スイッチＳＷ３がＯＦＦであって、かつスイッチＳＷ４がＯＮであるので、コンパレータ１５には閾値電圧ＶＲＥＦ４が入力される。コンパレータ１５は、閾値電圧ＶＲＥＦ４と平均値クランプされた映像信号ＳＩＧ１１の電圧とを比較して、Ｓ映像信号を検出する。
【００３３】
図３は、Ｓ映像信号ＳＩＧ１が入力されていない（無信号）場合のクランプされた映像信号ＳＩＧ１１および検出信号ＳＹＮＣ１の波形を示している。図３に示すように、無信号を示すＤＣ電圧は基準電圧ＶＲＥＦ２によって平均値クランプされて基準電圧ＶＲＥＦ２の映像信号ＳＩＧ１１となる。基準電圧ＶＲＥＦ２は、予め基準電圧ＶＲＥＦ２＞閾値電圧ＶＲＥＦ４が成り立つように設定されている。したがって、Ｓ映像信号ＳＩＧ１が入力されていない場合（無信号の場合）、クランプされた映像信号ＳＩＧ１１の電圧は閾値電圧ＶＲＥＦ４よりも高くなる。コンパレータ１５は、検出信号ＳＹＮＣ１をネゲート（この場合は“Ｈ”）にする。
【００３４】
図４は、Ｓ映像信号ＳＩＧ１に全白信号が入力された場合のクランプされた映像信号ＳＩＧ１１および検出信号ＳＹＮＣ１の波形を示している。図４に示すように、平均値クランプ回路によって全白信号を示すＳ映像信号ＳＩＧ１が基準電圧ＶＲＥＦ２によってクランプされる。コンパレータ１５は、閾値電圧ＶＲＥＦ４とクランプされた映像信号ＳＩＧ１１の電圧とを比較して、クランプされた映像信号ＳＩＧ１１の電圧が閾値電圧ＶＲＥＦ４よりも低い期間７１では検出信号をアサート（この場合は“Ｌ”）に、クランプされた映像信号ＳＩＧ１１の電圧が閾値電圧ＶＲＥＦ４以上の期間７２では検出信号を“Ｈ”にする。
【００３５】
図５は、Ｓ映像信号ＳＩＧ１に全黒信号が入力された場合のクランプされた映像信号ＳＩＧ１１および検出信号ＳＹＮＣ１の波形を示している。図５に示すように、平均値クランプ回路によって全黒信号を示すＳ映像信号ＳＩＧ１が基準電圧ＶＲＥＦ２によってクランプされる。コンパレータ１５は、閾値電圧ＶＲＥＦ４とクランプされた映像信号ＳＩＧ１１の電圧とを比較して、クランプされた映像信号ＳＩＧ１１の電圧が閾値電圧ＶＲＥＦ４よりも低い期間７１では検出信号を“Ｌ”に、クランプされた映像信号ＳＩＧ１１の電圧が閾値電圧ＶＲＥＦ４以上の期間７２では検出信号を“Ｈ”にする。
【００３６】
ここで、無信号であったＳ映像信号ＳＩＧ１に信号が入力されたとする。コンパレータ１５は、クランプされた映像信号ＳＩＧ１１と閾値電圧ＶＲＥＦ４とを比較して、クランプされた映像信号ＳＩＧ１１の電圧が閾値電圧ＶＲＥＦ４よりも低い期間は検出信号ＳＹＮＣ１を“Ｌ”にして、クランプされた映像信号ＳＩＧ１１の電圧が閾値電圧ＶＲＥＦ４以上の期間は検出信号ＳＹＮＣ１を“Ｈ”にする。
【００３７】
制御回路３０は、現在選択している映像信号入力検出回路１０ｃからも検出信号ＳＹＮＣ３が入力されている場合でも、Ｓ映像信号ＳＩＧ１に対応する映像信号入力検出回路１０ａから入力される検出信号ＳＹＮＣ１が、Ｓ映像信号が入力されていることを示している場合、すなわち検出信号ＳＹＮＣ１が“Ｌ”になったことを検出すると映像信号入力検出回路１０ａを選択することを決定する。制御回路３０は、選択信号Ｓ１を“Ｌ”から“Ｈ”にするとともに、選択信号Ｓ３を“Ｈ”から“Ｌ”にする。すなわち、コンポジット映像信号ＳＩＧ３に対応する映像信号入力検出回路１０ｃからＳ映像信号ＳＩＧ１に対応する映像信号入力検出回路１０ｃに切り替える。
【００３８】
選択信号Ｓ１が“Ｈ”になり、かつ選択信号Ｓ３が“Ｌ”になると、セレクタ５０は、映像信号入力検出回路１０ａから入力される映像信号ＳＩＧ１１を再生すべき映像信号として出力する。
【００３９】
選択信号Ｓ１が“Ｌ”から“Ｈ”に変化すると、映像信号入力検出回路１０ａのスイッチＳＷ１，ＳＷ３はＯＮになり、スイッチＳＷ２，ＳＷ４，ＳＷ５はＯＦＦになる。スイッチＳＷ１がＯＮであって、かつスイッチＳＷ２がＯＦＦであるので、ボルテージフォロア１４には基準電圧ＶＲＥＦ１が入力される。また、スイッチＳＷ６はクランプパルスＳＹＮＣ１１が“Ｈ”の期間のみＯＮとなり、クランプパルスＳＹＮＣ１１が“Ｌ”の期間はＯＦＦとなる。スイッチＳＷ５はＯＦＦとなるので、映像信号入力検出回路１０ａは、クランプパルスＳＹＮＣ１１によって制御され、基準電圧ＶＲＥＦ１によってＳ映像信号ＳＩＧ１の黒レベルをペデスタルクランプするペデスタルクランプ回路として動作する。
【００４０】
一方、スイッチＳＷ３がＯＮであって、かつスイッチＳＷ４がＯＦＦであるので、コンパレータ１５は、閾値電圧ＶＲＥＦ３とペデスタルクランプされた映像信号ＳＩＧ１１の電圧とを比較して、Ｓ映像信号を検出する。
【００４１】
このようにこの実施の形態では、非選択時にはペデスタルクランプ回路１１内のボルテージフォロア１４をバッファとして利用して基準電圧ＶＲＥＦ２を抵抗Ｒ１に接続することで、入力カップリング容量を有するコンデンサＣ１と抵抗Ｒ１によって入力される映像信号の平均値を基準電圧ＶＲＥＦ２によってクランプした映像信号を生成するようにしているので、シンクチップクランプ回路を用いることなく映像信号を平均クランプすることができ、映像信号入力検出回路の回路規模を小さくすることができる。
【００４２】
また、この実施の形態では、選択時と非選択時とで、映像信号をクランプする基準電圧、および映像信号の有無を検出する閾値電圧を切り替えるようにしているので、映像信号の有無を正確に検出することができる。
【００４３】
また、この実施の形態では、Ｓ映像信号が入力された場合には、制御回路３０が現在選択しているコンポジット映像信号からＳ映像信号に切り替えるようにしているので、画質のよい映像信号を選択することができる。
【００４４】
なお、この実施の形態では、コンポジット映像信号とＳ映像信号とが検出された場合に、Ｓ映像信号を優先する場合を例に挙げて説明したが、制御回路３０にコンポジット映像信号が複数検出された場合の優先順位を予め設定しておくことで、コンポジット映像信号の入力端子が複数ある場合でも、自動的に映像信号を切り替えることができる。
【産業上の利用可能性】
【００４５】
以上のように、この発明にかかる映像信号入力検出回路は、複数の映像信号ソースが入力される映像再生装置に有用であり、特に、Ｓ映像信号とコンポジット映像信号とが入力される映像再生装置に適している。
【図面の簡単な説明】
【００４６】
【図１】この発明にかかる実施の形態の映像信号入力検出回路が適用される映像信号切替装置の一例を示すブロック図である。
【図２】図１に示した映像信号入力検出回路の構成を示す回路図である。
【図３】Ｓ映像信号が入力されていない場合のクランプされた映像信号および検出信号の波形を示す図である。
【図４】Ｓ映像信号に全白信号が入力された場合のクランプされた映像信号および検出信号の波形を示す図である。
【図５】Ｓ映像信号に全黒信号が入力された場合のクランプされた映像信号および検出信号の波形を示す図である。
【符号の説明】
【００４７】
１０ａ，１０ｂ，１０ｃ  映像信号入力検出回路
１１  ペデスタルクランプ回路
１２  インバータ
１３  アンドゲート
１４  ボルテージフォロア
１５  コンパレータ
３０  制御回路
５０  セレクタ
ＳＷ１，ＳＷ２，ＳＷ３，ＳＷ４，ＳＷ５，ＳＷ６  スイッチ
Ｃ１  コンデンサ
Ｒ１  抵抗
【図１】
2006005638.tif 000003
【図２】
2006005638.tif 000004
【図３】
2006005638.tif 000005
【図４】
2006005638.tif 000006
【図５】
2006005638.tif 000007